(57)【要約】【課題】  撮像器の取付構造を簡単化しつつ、撮像器により運転者の顔画像を確実に取得することができる画像監視装置を提供する。【解決手段】  画像監視装置１は、インストルメントパネル２のメータ表示部３の前面に取り付けられた透明な投影用スクリーン５と、メータ表示部３内におけるメータ表示部３の背面側に配置されたプロジェクタ６及びカメラ７とを備えている。プロジェクタ６は、メータ映像を含む計器映像を可視光により投影用スクリーン５に投影（表示）させる投影器である。プロジェクタ６の前面には、近赤外光をカットする近赤カットフィルタ９が配置されている。カメラ７は、投影用スクリーン５を通して運転者の顔Ｆを近赤外光により撮像し、運転者の顔画像を取得する撮像器である。カメラ７の前面には、可視光をカットする可視光カットフィルタ１０が配置されている。【選択図】  図１
2010018121.tif 000002
【特許請求の範囲】
【請求項１】
車両のインストルメントパネルに具備された画像監視装置において、
前記インストルメントパネルの前面側に配置されたスクリーンと、
前記インストルメントパネルの背面側に配置され、運転に必要な計器情報を可視光により前記スクリーンに投影させる投影器と、
前記インストルメントパネルの背面側に配置され、前記スクリーンを通して運転者の顔を非可視光により撮像する撮像器とを備えることを特徴とする画像監視装置。
【請求項２】
前記撮像器は、前記スクリーンを通して運転者の顔を赤外光により撮像し、
前記投影器の前面部には、赤外線カットフィルタが設けられていることを特徴とする請求項１記載の画像監視装置。
【請求項３】
前記撮像器の前面部には、可視光カットフィルタが設けられていることを特徴とする請求項１または２記載の画像監視装置。
【発明の詳細な説明】
【技術分野】
【０００１】
本発明は、車両のインストルメントパネルに具備された画像監視装置に関するものである。
【背景技術】
【０００２】
従来の画像監視装置としては、例えば特許文献１に記載されているように、インストルメントパネルにおける表示パネルに隣接した部位に、運転者の顔画像を撮像する画像カメラ（撮像器）を設けたものが知られている。
【特許文献１】特開２００７−５５４３０号公報
【発明の開示】
【発明が解決しようとする課題】
【０００３】
しかしながら、上記従来技術においては、表示パネルの計器類に干渉しないように画像カメラを取り付けるのが難しいという問題がある。また、画像カメラを取り付けるために意匠板に穴を開ける必要がある。
【０００４】
本発明の目的は、撮像器の取付構造を簡単化しつつ、撮像器により運転者の顔画像を確実に取得することができる画像監視装置を提供することである。
【課題を解決するための手段】
【０００５】
本発明は、車両のインストルメントパネルに具備された画像監視装置において、インストルメントパネルの前面側に配置されたスクリーンと、インストルメントパネルの背面側に配置され、運転に必要な計器情報を可視光によりスクリーンに投影させる投影器と、インストルメントパネルの背面側に配置され、スクリーンを通して運転者の顔を非可視光により撮像する撮像器とを備えることを特徴とするものである。
【０００６】
このような本発明の画像監視装置においては、投影器によって運転に必要な計器情報を可視光によりスクリーンに投影（表示）させると共に、撮像器によってスクリーンを通して運転者の顔を非可視光（例えば近赤外光や遠赤外光）により撮像する。このように計器情報をスクリーンに投影させる光と運転者の顔を撮像する時の光とが異なっているため、撮像器により運転者の顔を撮像する際に、計器情報の表示による撮像干渉を受けることが無い。これにより、運転者の顔画像を確実に取得することができる。また、上記のスクリーン及び投影器を設けることにより、撮像器をインストルメントパネルの背面側に配置可能となるため、撮像器の取付構造を簡単化することができる。
【０００７】
好ましくは、撮像器は、スクリーンを通して運転者の顔を赤外光により撮像し、投影器の前面部には、赤外線カットフィルタが設けられている。この場合には、例えば投影器が可視光だけでなく近赤外領域の光を発するものであっても、近赤外領域の光が赤外線カットフィルタによりカットされる。これにより、撮像器によって運転者の顔を赤外光により撮像する場合に、計器情報の表示映像の影響により運転者の顔画像がぼやけて写ってしまうことが確実に防止される。
【０００８】
また、好ましくは、撮像器の前面部には、可視光カットフィルタが設けられている。この場合には、例えば撮像器が赤外領域及び可視光領域の感度を持った撮像素子を有するものであっても、可視光が可視光カットフィルタによりカットされるため、可視光が撮像器に入射されることは無い。これにより、計器情報の表示映像の影響により運転者の顔画像がぼやけて写ってしまうことが確実に防止される。
【発明の効果】
【０００９】
本発明によれば、撮像器の取付構造を簡単化しつつ、撮像器により運転者の顔画像を確実に取得することができる。これにより、運転者の挙動を精度良く監視することが可能となる。
【発明を実施するための最良の形態】
【００１０】
以下、本発明に係わる画像監視装置の好適な実施形態について、図面を参照して詳細に説明する。
【００１１】
図１は、本発明に係わる画像監視装置の一実施形態を示す概略側面断面図であり、図２は、図１に示した画像監視装置の概略正面図である。各図において、本実施形態の画像監視装置１は、インストルメントパネル２のメータ表示部３に具備されている。メータ表示部３は、上下のメータバイザ４に挟まれている。メータバイザ４は、メータ表示部３の前面から前方に突出するように設けられている。
【００１２】
画像監視装置１は、メータ表示部３の前面に取り付けられた投影用スクリーン５と、メータ表示部３内におけるメータ表示部３の背面側に上下に並んで配置された背面投影式プロジェクタ６及びカメラ７とを備えている。
【００１３】
投影用スクリーン５は、可視光及び近赤外光を透過させるような透明度を有している。投影用スクリーン５は、例えばメータ表示部３の内部が見えない程度の暗さを持った暗色系の透明樹脂等で形成されている。
【００１４】
プロジェクタ６は、メータ映像８ａ，８ｂを含む計器映像を投影用スクリーン５に投影（表示）させる超小型の投影器である。プロジェクタ６は、可視光を発する光源を有し、計器映像を可視光により投影用スクリーン５に投影させる。
【００１５】
プロジェクタ６の前面には、近赤外光をカットする近赤カットフィルタ９が配置されている。これにより、プロジェクタ６から出射される光が近赤外領域の光を含んでいても、その近赤外領域の光が近赤カットフィルタ９で除去されるため、メータ映像８ａ，８ｂは可視光のみで投影用スクリーン５上に投影されることとなる。
【００１６】
カメラ７は、運転者の顔Ｆを投影用スクリーン５を通して撮像し、運転者の顔画像を取得する撮像器である。カメラ７は、近赤外領域の感度を持った撮像素子を有し、運転者の顔Ｆを近赤外光により撮像する。具体的には、通常時は、太陽光で照らされた顔Ｆをカメラ７により撮像し、夜間やトンネル走行時は、投光器（図示せず）からの近赤外光で照らされた顔Ｆをカメラ７により撮像する。
【００１７】
カメラ７の前面には、可視光をカットする可視光カットフィルタ１０が配置されている。これにより、可視光がカメラ７に入射されることは無い。
【００１８】
ここで、従来の画像監視装置の一例を図３に示す。同図において、メータ表示部５０の前面には、メータ５１ａ，５１ｂを有するメータパネル５１が設けられている。また、メータ表示部５０内におけるメータ５１ａ，５１ｂ間に対応する箇所には、カメラ５２が配置されている。そして、メータパネル５１におけるカメラ５２に対応する位置には、カメラ５２の前面を覗かせる穴部５３が形成されている。これにより、運転者の顔をカメラ５２で撮像することができる。
【００１９】
しかし、図３に示す画像監視装置では、上記のようにメータパネル５１の一部に穴を開ける必要があるため、メータパネル５１の見た目が悪くなる。また、メータパネル５１に大きな穴を開けると、メータ５１ａ，５１ｂに干渉してしまう。このため、穴部５３のサイズを小さくせざるを得ず、この場合には小型のカメラ５２しか使えなくなる。
【００２０】
これに対し本実施形態では、メータ表示部３の前面に透明な投影用スクリーン５を設け、背面投影式プロジェクタ６により計器映像を投影用スクリーン５上に投影させるようにしたので、メータ表示部３の前面部に穴開け加工を施すことなく、カメラ７をメータ表示部３に簡単に取り付けることができる。また、上記のようにメータ表示部３の前面部に穴を開けたり、計器類に干渉しないようにカメラ７を配置する必要が無いため、サイズの大きなカメラ７をメータ表示部３内に配置することが可能となる。従って、高性能で安価なカメラ７を使用することができる。
【００２１】
また、プロジェクタ６は計器映像を可視光で投影用スクリーン５上に投影させ、カメラ７は運転者の顔Ｆを近赤外光で撮像するので、投影用スクリーン５上に投影された計器映像がカメラ７により撮像されることが抑制される。
【００２２】
このとき、プロジェクタ６の前面には近赤カットフィルタ９が配置されているので、プロジェクタ９の光源から照射された近赤外領域の光が近赤カットフィルタ９でカットされ、計器映像は可視光のみで投影用スクリーン５上に投影されることとなる。また、カメラ７の前面には可視光カットフィルタ１０が配置されているので、可視光は可視光カットフィルタ１０でカットされカメラ７に入射されることは無い。以上により、カメラ７の撮像素子が近赤外領域だけでなく可視光領域の感度も持っている場合でも、投影用スクリーン５上に投影された計器映像が運転者の顔画像に被って顔画像がぼやけて写ってしまうことは無い。
【００２３】
これにより、カメラ７により運転者の鮮明な顔画像を取得し、運転者の挙動状態を正確に把握することが可能となる。
【００２４】
なお、本発明は、上記実施形態に限定されるものではなく、種々変形可能である。例えば、プロジェクタ６として近赤外領域の光を発しない光源を有するものを使用する場合には、図４に示すように、プロジェクタ６の前面に上記の近赤カットフィルタ９を配置しなくても良い。
【００２５】
また、カメラ７として近赤外領域のみの感度を持った撮像素子を有するものを使用する場合には、図５に示すように、カメラ７の前面に上記の可視光カットフィルタ１０を配置しなくても良い。
【００２６】
さらに、プロジェクタ６として近赤外領域の光を発しない光源を有するものを使用し、カメラ７として近赤外領域のみの感度を持った撮像素子を有するものを使用する場合には、図６に示すように、プロジェクタ６の前面に上記の近赤カットフィルタ９を配置せず、カメラ７の前面に上記の可視光カットフィルタ１０を配置しないような構成としても良い。
【００２７】
また、上記実施形態の画像監視装置１は、インストルメントパネル２のメータ表示部３に備えられるものであるが、特にメータ表示部３には限られず、インストルメントパネル２において運転に必要な計器情報を表示する部位に備えれば良い。
【図面の簡単な説明】
【００２８】
【図１】本発明に係わる画像監視装置の一実施形態を示す概略側面断面図である。
【図２】図１に示した画像監視装置の概略正面図である。
【図３】従来の画像監視装置の一例を示す概略側面断面図及び概略正面図である。
【図４】図１に示した画像監視装置の変形例を示す概略側面断面図である。
【図５】図１に示した画像監視装置の他の変形例を示す概略側面断面図である。
【図６】図１に示した画像監視装置の更に他の変形例を示す概略側面断面図である。
【符号の説明】
【００２９】
１…画像監視装置、２…インストルメントパネル、５…投影用スクリーン、６…プロジェクタ（投影器）、７…カメラ（撮像器）、９…近赤カットフィルタ（赤外線カットフィルタ）、１０…可視光カットフィルタ。
【図１】
2010018121.tif 000003
【図２】
2010018121.tif 000004
【図３】
2010018121.tif 000005
【図４】
2010018121.tif 000006
【図５】
2010018121.tif 000007
【図６】
2010018121.tif 000008